(57)【特許請求の範囲】
【請求項１】
ユーザ端末からアップロードした画像を基に電子アルバムを作成し、前記ユーザ端末に作成した電子アルバムを提供する電子アルバム作成装置であって、
前記電子アルバムの画像の背景となる背景コンテンツを蓄積する背景コンテンツ記憶部と、
前記アップロードした画像に含まれる撮影位置情報および撮影時刻情報を取得し、観光スポットのエリアの内側または外側のいずれで撮影されたかを判定するとともに、取得した前記撮影位置情報、撮影時刻情報、および当該判定情報に基づいて、前記背景コンテンツ記憶部に蓄積された背景コンテンツの中から、当該電子アルバムに用いる背景コンテンツを抽出するコンテンツ抽出部と、
前記アップロードした画像を、電子アルバムのレイアウトテンプレートに割り当てることによって、前記アップロードした画像の背景を確定し、前記確定した背景に前記コンテンツ抽出部により抽出した背景コンテンツを付けて電子アルバムを作成する電子アルバム作成部と、を備え、
前記コンテンツ抽出部は、
複数の矩形エリアの座標位置を組み合わせて前記観光スポットのエリアの内側または外側を判定する第１判定手段と、円の中心点の座標位置と半径を用いて前記観光スポットのエリアの内側または外側を判定する第２判定手段と、を備える
ことを特徴とする電子アルバム作成装置。
【請求項２】
ユーザ端末からアップロードした画像を基に電子アルバムを作成し、前記ユーザ端末に作成した電子アルバムを提供する電子アルバム作成装置であって、
前記電子アルバムの画像の背景となる背景コンテンツを蓄積する背景コンテンツ記憶部と、
前記アップロードした画像に含まれる撮影位置情報および撮影時刻情報を取得し、観光スポットのエリアの内側または外側のいずれで撮影されたかを判定するとともに、取得した前記撮影位置情報、撮影時刻情報、および当該判定情報に基づいて、前記背景コンテンツ記憶部に蓄積された背景コンテンツの中から、当該電子アルバムに用いる背景コンテンツを抽出するコンテンツ抽出部と、
前記アップロードした画像を、電子アルバムのレイアウトテンプレートに割り当てることによって、前記アップロードした画像の背景を確定し、前記確定した背景に前記コンテンツ抽出部により抽出した背景コンテンツを付けて電子アルバムを作成する電子アルバム作成部と、を備え、
前記コンテンツ抽出部は、背景コンテンツを、周期の長い時間情報と周期の短い時間情報との組み合わせに応じて切り替える
ことを特徴とする電子アルバム作成装置。
【請求項３】
移動距離に応じた旅の軌跡表示の切替えを行う軌跡表示部を備え、
前記軌跡表示部は、２点間の写真の位置を基に地図上の移動ルート表示有無を制御する
ことを特徴とする請求項１または請求項２に記載の電子アルバム作成装置。
【発明の詳細な説明】
【技術分野】
【０００１】
本発明は、電子アルバム作成装置に関する。
【背景技術】
【０００２】
特許文献１には、複数のカメラにより撮影された画像をリアルタイムに集約して電子アルバムを作成する電子アルバム作成システムが記載されている。特許文献１に記載の電子アルバム作成システムは、複数の撮像装置により撮影された撮影画像を、所定のネットワークを介し、アップロード画像として受信する受信部と、前記アップロード画像に含まれる画像のうち、所定の条件を満たす画像を逐次選択して電子アルバムをリアルタイムに作成する電子アルバム作成部と、を備える。
【０００３】
特許文献２には、ユーザの嗜好に適したフォトブックのレイアウトテンプレートを作成する情報処理装置が記載されている。特許文献２に記載の情報処理装置は、第１のレイアウトテンプレートに設定されたパラメータの内、変更されたパラメータを取得する取得手段と、前記変更されたパラメータの属性を判定する判定手段と、前記変更されたパラメータが、複数のレイアウトテンプレートに共通して使用可能なパラメータであった場合、前記変更されたパラメータを用いて、第２のレイアウトテンプレートを生成する生成手段と
を備える。
【先行技術文献】
【特許文献】
【０００４】
【特許文献１】特開２００９−３０３００２号公報
【特許文献２】特開２０１４−８５８１４号公報
【発明の概要】
【発明が解決しようとする課題】
【０００５】
しかしながら、このような従来の電子アルバム作成システムにあっては、電子アルバムのレンダリング処理が固定的であり、撮影した旅の思い出写真を、固定テーマに単にあてはめるだけの電子アルバムとなっている。また、特許文献１の記載の装置は、画像を逐次選択、すなわちスライドショー的な鑑賞にとどまっているのが現状である。また、特許文献２の記載の装置は、レイアウトテンプレートを用いて画像（静止画）を指定する技術にとどまっている。
このため、従来の装置では、ユーザは旅の思い出を十分に楽しめていないという課題がある。
【０００６】
そこで、本発明は、前記した問題を解決するために、動画テーマで旅の思い出を楽しむことができる電子アルバム作成装置を提供することを目的とする。
【課題を解決するための手段】
【０００７】
前記課題を解決するため、本発明による電子アルバム作成装置は、ユーザ端末からアップロードした画像を基に電子アルバムを作成し、前記ユーザ端末に作成した電子アルバムを提供する電子アルバム作成装置であって、前記電子アルバムの画像の背景となる背景コンテンツを蓄積する背景コンテンツ記憶部と、前記アップロードした画像に含まれる撮影位置情報および撮影時刻情報を取得し、観光スポットのエリアの内側または外側のいずれで撮影されたかを判定するとともに、前記取得した前記撮影位置情報、撮影時刻情報、および当該判定情報に基づいて、前記背景コンテンツ記憶部に蓄積された背景コンテンツの中から、当該電子アルバムに用いる背景コンテンツを抽出するコンテンツ抽出部と、前記アップロードした画像を、電子アルバムのレイアウトテンプレートに割り当てることによって、前記アップロードした画像の背景を確定し、前記確定した背景に前記コンテンツ抽出部により抽出した背景コンテンツを付けて電子アルバムを作成する電子アルバム作成部と、を備え、前記コンテンツ抽出部は、複数の矩形エリアの座標位置を組み合わせて前記観光スポットのエリアの内側または外側を判定する第１判定手段と、円の中心点の座標位置と半径を用いて前記観光スポットのエリアの内側または外側を判定する第２判定手段と、を備えることを特徴とする。
その他の手段については、発明を実施するための形態のなかで説明する。
【発明の効果】
【０００８】
本発明によれば、動画テーマで旅の思い出を楽しむことができる電子アルバム作成装置、を提供することができる。
【図面の簡単な説明】
【０００９】
【図１】本発明の実施形態に係る電子アルバム作成システムの構成図である。
【図２】上記実施形態に係る電子アルバム作成システムのユーザ端末のハードウェア構成図である。
【図３】上記実施形態に係る電子アルバム作成システムの背景コンテンツデータベースの構成を示すＥＲ図である。
【図４】上記実施形態に係る電子アルバム作成システムのデータベースのテーブル間の紐付けを説明する図である。
【図５】図４のデータベースのテーブル間の紐付けの実際の例を示す図である。
【図６】上記実施形態に係る電子アルバム作成システムの動作の概要を説明する図である。
【図７】上記実施形態に係る電子アルバム作成システムの電子アルバム作成処理を示すフローチャートである。
【図８】上記実施形態に係る電子アルバム作成システムのコンテンツ抽出処理を示すフローチャートである。
【図９】上記実施形態に係る電子アルバム作成システムの電子アルバムアプリケーションのその他処理を示すフローチャートである。
【図１０】上記実施形態に係る電子アルバム作成システムのテーマの背景で利用するコンテンツを説明する図である。
【図１１】上記実施形態に係る電子アルバム作成システムのテーマの背景で利用するコンテンツを説明する図である。
【図１２】上記実施形態に係る電子アルバム作成システムのテーマの背景で利用するコンテンツを説明する図である。
【図１３】上記実施形態に係る電子アルバム作成システムのテーマの背景で利用するコンテンツを説明する図である。
【図１４】図４のエリア情報のエリア種別を説明する図である。
【図１５】図４のエリア情報のエリア種別を説明する図である。
【図１６】本発明の実施形態に係る電子アルバム作成システムの実施例を説明する図である。
【図１７】上記実施形態に係る電子アルバム作成システムのユーザ端末の電子アルバムのアップロード／ダウンロードを説明する図である。
【図１８】上記実施形態に係る電子アルバム作成システムのユーザ端末の電子アルバムのアップロード／ダウンロードを説明する図である。
【図１９】上記実施形態に係る電子アルバム作成システムのユーザ端末の電子アルバムのアップロード／ダウンロードを説明する図である。
【図２０】上記実施形態に係る電子アルバム作成システムのユーザ端末の電子アルバム表示例を説明する図である。
【図２１】上記実施形態に係る電子アルバム作成システムのユーザ端末の電子アルバム表示例を説明する図である。
【発明を実施するための形態】
【００１０】
以降、本発明を実施するための形態（「本実施形態」という）を、図などを参照しながら詳細に説明する。また、本実施形態を説明するための全図において、同一部には原則として同一の符号を付し、その繰り返しの説明は省略する。
本明細書において、「コンテンツ」は、電子アルバムに収められた写真の背景をいう。この背景のコンテンツは、特に動画またはムービーによる動画の背景コンテンツである。
また、「テーマ」は、電子アルバム作成の際のレイアウトテンプレートをいう。
【００１１】
［システム］
図１は、本発明の実施形態に係る電子アルバム作成システムの構成図である。
図１に示すように、電子アルバム作成システム１は、ユーザ端末１０と、電子アルバム作成サービスをユーザ端末１０に対して提供する電子アルバム作成サーバ１００（電子アルバム作成装置）と、ユーザ端末１０からアクセス可能なインターネットからなるネットワーク２０と、を備える。
ユーザ端末１０は、電子カメラ機能を有するスマートフォン等のＰＤＡ（Personal Digital Assistants）、ノート型ＰＣ（Personal Computer）である。本実施形態は、本電子アルバムアプリケーションを組み込んだスマートフォンに適用した例である。また、ユーザ端末１０は、自身の位置情報を知るための電波をＧＰＳ（Global Positioning System）衛星２から受信するＧＰＳ機能を備える。
【００１２】
［電子アルバム作成サーバ］
図１に示すように、電子アルバム作成サーバ１００は、ユーザ端末１０からアップロードした画像を基に電子アルバムを作成し、ユーザ端末１０に作成した電子アルバムを提供する。
電子アルバム作成サーバ１００は、本装置全体を制御するＣＰＵ等からなる制御部１１０と、記憶部１２０と、表示部１３０と、入力部１４０と、ネットワーク２０に接続して通信を行う通信部１５０と、Ｉ／Ｆ部１６０と、を備える。
【００１３】
制御部１１０は、電子アルバム作成サーバ１００全体の制御を実現するとともに、アップロードした画像に含まれる撮影位置情報および撮影時刻情報を取得するマイクロコンピュータからなる。マイクロコンピュータは、ＲＯＭに記憶された制御プログラムを読み出してＲＡＭに展開し、ＣＰＵが本電子アルバム作成処理を含む各種処理を実行する。
制御部１１０は、電子アルバム作成部１１１、コンテンツ抽出部１１２、動画レベル判定部１１３、コンテンツ表示部１１４、コンテンツ階層表示部１１５、軌跡表示部１１６、コンテンツ選択部１１７、およびコンテンツ最適化部１１８を備える。
【００１４】
電子アルバム作成部１１１は、アップロードした画像を、電子アルバムのレイアウトテンプレートに割り当てることによって、アップロードした画像の背景を確定し、確定した背景にコンテンツ抽出部１１２により抽出した背景コンテンツを付けて電子アルバムを作成する。すなわち、電子アルバム作成部１１１は、動画の背景コンテンツに、アップロードした画像を嵌め込んで電子アルバムを作成する。
【００１５】
コンテンツ抽出部１１２は、アップロードした画像に含まれる撮影位置情報および撮影時刻情報を取得し、観光スポットのエリアの内側または外側のいずれで撮影されたかを判定するとともに、取得した撮影位置情報、撮影時刻情報、および当該判定情報に基づいて、背景コンテンツデータベース（ＤＢ）１２１に蓄積された背景コンテンツの中から、当該電子アルバムに用いる背景コンテンツを抽出する。コンテンツ抽出部１１２は、動画の背景コンテンツを、季節（周期の長い時間情報）、時間帯（周期の短い時間情報）、年代、性別、イベント、またはユーザ嗜好に応じて切り替える。コンテンツ抽出部１１２は、アップロードした画像が観光スポットのエリアの内側または外側のいずれで撮影されたかを判定し、当該判定結果に基づいて背景コンテンツを切り替える。
コンテンツ抽出部１１２は、複数の矩形エリアの座標位置を組み合わせて観光スポットのエリアの内側または外側を判定する第１判定手段と、円の中心点の座標位置と半径を用いて観光スポットのエリアの内側または外側を判定する第２判定手段と、を備える。
【００１６】
動画レベル判定部１１３は、撮影した写真が推奨する動画にどれだけ近いかを評価する動画レベル判定を行う。
コンテンツ表示部１１４は、地図の自動縮尺、ズームアップを行う。また、コンテンツ階層表示部１１５、軌跡表示部１１６、コンテンツ選択部１１７、およびコンテンツ最適化部１１８を制御する。
コンテンツ階層表示部１１５は、背景コンテンツを階層的に順番に表示する背景コンテンツの連続階層表示を行う。
軌跡表示部１１６は、移動距離に応じた「旅の軌跡（ルート）」表示の切替えを行う。
コンテンツ選択部１１７は、所定のジャンルに合わせた背景コンテンツの表示を行う。
コンテンツ最適化部１１８は、デフォルトコンテンツ、地図の最適化を行う。
【００１７】
記憶部１２０は、各種処理のプログラムを収めたＲＯＭ、ＲＡＭ、電気的に書換可能な不揮発性メモリであるＥＥＰＲＯＭ（Electrically Erasable Programmable Read-Only Memory）等から構成される。記憶部１２０は、ハードディスクドライブ（ＨＤＤ）等の外部記憶装置を含む。記憶部１２０は、背景コンテンツＤＢ１２１（背景コンテンツ記憶部）と、地図ＤＢ１２２と、を備える。
【００１８】
背景コンテンツＤＢ１２１は、電子アルバムの画像の背景となる動画またはムービーによる背景コンテンツを蓄積する。背景コンテンツＤＢ１２１は、テーマ情報マスタ、テーマ利用コンテンツ情報マスタ、コンテンツ情報マスタ、およびエリアグループ情報マスタとしての機能を有する。
地図ＤＢ１２２は、日本全国の地図情報を蓄積する。なお、世界地図を蓄積し、同様な手法により全世界に対応することも可能である。
【００１９】
表示部１３０は、制御部１１０からの制御に従った表示画面を出力する表示装置である。表示部１３０は、例えば、ＬＣＤディスプレイである。
入力部１４０は、ユーザによる操作指示を受付け、その操作内容を制御部１１０に出力する。
Ｉ／Ｆ部１６０は、各種インターフェースを接続する。
【００２０】
［ユーザ端末］
図２は、ユーザ端末１０のハードウェア構成図である。
図２に示すように、ユーザ端末１０は、制御部１１、撮像部１２、操作部１３、フラッシュライト１４、ＬＣＤ（Liquid Crystal Display）表示部１５、タッチパネル１６、記憶部１７、ＧＰＳ機能部１８、及びインターフェース（Ｉ／Ｆ）部１９を備えて構成される。
【００２１】
制御部１１は、本端末全体を制御するマイクロコンピュータ等からなる。マイクロコンピュータは、ＲＯＭ（Read Only Memory）に記憶された制御プログラムを読み出してＲＡＭ（Random Access Memory）に展開し、ＣＰＵ（Central Processing Unit）が各種処理を実行する。
制御部１１は、電子アルバムアプリケーション１１ａを備え、電子アルバムアプリケーション１１ａは、撮影時の撮影画像と位置情報と時間情報とを記録するログファイルを生成する。ログファイルは、撮影画像とＧＰＳ機能部１８で取得した位置情報（経度及び緯度）と日付時刻とからなる組を時系列に記録した履歴を生成し、記憶部１７に保存する。制御部１１は、Ｉ／Ｆ部１９およびネットワーク２０を介して電子アルバム作成サーバ１００に対して画像データや、位置情報の履歴を記載するログファイルを送る。
【００２２】
撮像部１２は、撮影レンズ、撮像センサ、ＡＦＥ（Analog Front End）、及びＤＳＰ（Digital Signal Processor）を備える。撮像センサは、例えばＣＭＯＳ（Complementary Metal-Oxide Semiconductor）センサからなり、シャッタレリーズに応答して撮影レンズにより結像される被写体像を撮像して画像信号を出力する。ＡＦＥは、画像信号を増幅してデジタル信号に変換し、ＤＳＰは、デジタルの画像信号をＹＵＶ信号に変換する。
操作部１３は、シャッタボタン、各種モード選択部、及び十字キー等から構成されている。操作部１３は、ＬＣＤ表示部１５と一体的に設けられるタッチスクリーンであってもよい。
フラッシュライト１４は、暗い場所での撮影時等にユーザ操作等により発光する。
【００２３】
ＬＣＤ表示部１５は、ＬＣＤディスプレイ又は有機ＥＬ（Electro-Luminescence）ディスプレイ、白色ＬＥＤバックライト及び各ドライバ等で構成され、撮影した画像やコンテンツ等を表示する。ＬＣＤ表示部１５は、ユーザ端末１０がスマートフォン等の場合、筐体の表面の略全面を覆う大型ディスプレイである。また、ユーザ端末１０が電子カメラの場合、筺体の背面を覆うように設けられる。
タッチパネル１６は、ＬＣＤ表示部１５の表示画面内で、任意の位置を指示するためのポインティングデバイスである。タッチパネル１６は、ユーザが上面を指で押したり、スライドしたり、離したりすることにより各操作を検出する。
【００２４】
記憶部１７は、シャッタレリーズに応答して生成される画像データに、その撮影時、又は撮影直後に取得した位置情報を、例えばＥｘｉｆ（Exchangeable image file format）等の形式を有する付加情報として付与した形態で保存する。記録部１７は、ＳＤ（Secure Digital）カード、ＵＳＢ（Universal Serial Bus）メモリ、メモリスティック（Memory Stick）などの外部メモリを含む。
ＧＰＳ機能部１８は、静止しているＧＰＳの位置情報の電波をＧＰＳ衛星２（図１参照）から受信するＧＰＳアンテナ１８ａを備え、ＧＰＳアンテナ１８ａを介して受信した情報より、現在位置情報を、緯度／経度の２つのパラメータとして算出するＧＰＳ機能により位置情報を取得する。
【００２５】
ここで、本実施形態では、位置情報を取得する手段として、ＧＰＳ衛星２を利用した例を示したが、ＧＰＳ以外の、基地局との位置関係を利用した方式でもよい。例えば、モバイル端末であるユーザ端末１０として、Ａｎｄｒｏｉｄ（登録商標）スマートフォンやカメラ付き高機能携帯電話機を使用する場合、ＧＰＳ機能部１８に代えて又は併用して、基地局及び携帯電話通信網（図示省略）を介して携帯電話会社サーバと情報の送受信を行い、接近確認から自端末の現在位置情報を取得することも可能である。
また、Ｗｉ-Ｆｉ（Wireless Fidelity）測位による位置情報取得、すなわちＷｉ-Ｆｉアクセスポイントと所定の位置情報サービスを利用した位置情報取得を用いてもよい。
【００２６】
Ｉ／Ｆ部１９は、ＵＳＢ等のインターフェースによる有線接続、又はBluetooth（登録商標）等の無線接続を利用してＰＣ等の外部接続部に接続する。
【００２７】
［背景コンテンツＤＢ］
図３は、背景コンテンツＤＢ１２１の構成を示すＥＲ（Entity-Relation）図である。
図３（ａ）−（ｃ）に示すように、エンティティ「テーマ情報」は、テーマＩＤに最小写真枚数，最大写真枚数，…というアトリビュートを有し、リレーションによりエンティティ「テーマ利用地図情報」「テーマ利用コンテンツ情報」とで結ばれる。「テーマ利用地図情報」は、テーマＩＤと地図ＩＤがアトリビュート、「テーマ利用コンテンツ情報」は、テーマＩＤとコンテンツＩＤがアトリビュートである。ヘッダである「テーマ情報」は、その明細である「テーマ利用地図情報」、「テーマ利用コンテンツ地図情報」と親子関係になっている。
【００２８】
図３（ｂ），（ｄ）および（ｅ）に示すように、エンティティ「テーマ利用地図情報」は、リレーションによりエンティティ「地図情報」とで結ばれ、さらにエンティティ「地図情報」は、リレーションによりエンティティ「エリア情報」とで結ばれる。「地図情報」は、地図ＩＤとエリアＩＤ，地図ファイル名…がアトリビュート、「エリア情報」は、エリアＩＤと左上，右下，中心の各緯度・経度，エリア半径，エリア種別…がアトリビュートである。
【００２９】
一方、図３（ｃ），（ｆ），（ｇ）に示すように、エンティティ「テーマ利用コンテンツ情報」は、リレーションによりエンティティ「コンテンツ情報」とで結ばれ、さらにエンティティ「コンテンツ情報」は、リレーションによりエンティティ「エリアグループ情報」とで結ばれる。「コンテンツ情報」は、コンテンツＩＤとエリアグループＩＤ，有効開始日・終了日・開始時刻・終了時刻，地図ファイル名…がアトリビュート、「エリアグループ情報」は、エリアグループＩＤとエリアＩＤがアトリビュートである。また、図３（ｅ）に示す「エリア情報」と図３（ｇ）に示す「エリアグループ情報」は、リレーションにより結ばれる。なお、ＥＲ図上のエンティティは、データベース上では、一般にテーブルと呼ばれる。
【００３０】
図４は、データベースのテーブル間の紐付けを説明する図である。図４は、図３（ａ），（ｃ），（ｆ），（ｇ），（ｅ）のＥＲ図を例に採る。図４の網掛けは、アトリビュートの選択項目（着目点）を示している。
「テーマ情報」は、テーマ動画を生成するために使用するテーマの情報を管理するテーブルである。
「テーマ利用コンテンツ情報」は、テーマで利用できる背景（コンテンツ）を管理するテーブルである。
「コンテンツ情報」は、コンテンツを適用する場所・施設（エリアグループ）と適用する時間帯を管理するテーブルである。
「エリアグループ情報」は、地図上のエリアグループと１つ以上のエリアとの紐付けを管理するテーブルである。
「エリア情報」は、エリアの位置を管理するテーブルである。
【００３１】
図４に示すように、「テーマ情報」は、テーマＩＤをキーにして「テーマ利用コンテンツ情報」に紐付けられ、「テーマ利用コンテンツ情報」は、コンテンツＩＤを主キーにして「コンテンツ情報」に紐付けられる。続いて、「コンテンツ情報」は、エリアグループＩＤを主キーにして「エリアグループ情報」に紐付けられ、「エリアグループ情報」は、エリアＩＤを主キーにして「エリア情報」に紐付けられる。図４では、「テーマ情報」「テーマ利用コンテンツ情報」「コンテンツ情報」「エリアグループ情報」「エリア情報」の５つのテーブルが関連情報として紐付けられる。この例では、「テーマ情報」から「エリア情報」の左上緯度・左上経度・右下緯度・右下経度までが紐付けられている。
【００３２】
図５は、図４のデータベースのテーブル間の紐付けの実際の例を示す図である。図５の網掛けは、図４の網掛けの紐付けに対応する。
図５に示すように、データベースは、「テーマＩＤ」「コンテンツＩＤ」「有効日時」「エリアグループＩＤ」「エリアＩＤ」「位置情報」の各テーブルを有する。なお、実データは、ＩＤ体系で定義する。
図５に示すように、「テーマＩＤ」で沖縄、その「コンテンツＩＤ」で美ら海水族館（昼）および美ら海水族館（夜）が指定されたものとする。この指定は、ユーザ端末１０からアップロードした写真（画像データ）について、ユーザが、アルバム作成用として選択指示することをいう。アップロードした「美ら海水族館」の画像データには、撮影位置情報および撮影時刻情報が付加されている。
【００３３】
<「コンテンツＩＤ」「有効日時」>
「美ら海水族館」では、開館時間が昼の部と夜の部に区別されている。このため、「コンテンツＩＤ」は、美ら海水族館（昼）と美ら海水族館（夜）とを有する。ちなみに、美ら海水族館（昼）の「有効日時」は、「日」については開始・終了とも指定なし、「時」については開始６：００，終了１８：００である。また、美ら海水族館（夜）の「有効日時」は、「日」については開始・終了とも指定なし、「時」については開始１８：００，終了６：００である。なお、「コンテンツＩＤ」に記述された「首里城」「美浜アメリカンビレッジ」についても、昼夜の区別を設ける。
【００３４】
「コンテンツＩＤ」に２以上の時間帯（ここでは昼／夜）を設け、かつ、それぞれに「有効日時」を設けることで、時間帯や季節に合せたよりよいテーマ背景の動画を作成することができる。また、後記する位置情報と組み合わせてエリア情報の精度を高めることができ、よりよいテーマ背景の動画を作成することができる。なお、コンテンツＩＤの時間帯や季節による背景設定の詳細については、図１０〜図１３で後記する。
【００３５】
<「エリアグループＩＤ」「エリアＩＤ」「位置情報」>
エリアグループＩＤにおける、「美ら海水族館」は、所定のエリアグループを構成している（後記図１４および図１５参照）。このため、「エリアグループＩＤ」に紐付けた「エリアＩＤ」は、エリアグループを構成する美ら海水族館の各エリアである美ら海水族館ａ，ｂ，ｃ，ｄをカラム（ＥＲ図上のアトリビュート）として有する。そして、図４に示すように、「エリアＩＤ」の美ら海水族館ａ，ｂ，ｃ，ｄに紐付けた「位置情報」の左上の緯度・経度の（数値）と、右下の緯度・経度の（数値）と、中央の緯度・経度（指定なし）と、エリア半径（指定なし）と、エリア種別（四角）を有する。なお、エリア種別の詳細については、図１４および図１５で後記する。
【００３６】
「エリアグループＩＤ」に紐付けた「エリアＩＤ」に、エリアグループの各エリアの起点となる位置情報（エリア種別が四角の場合）、または、中央の位置情報（エリア種別が円の場合）を設けることで、対象物の正確または適切な位置情報を指定することができ、よりよいテーマ背景の動画を作成することができる。また、前記日時情報と組み合わせることで、エリア情報の質を高めることができる。
【００３７】
例えば、本電子アルバムに収める画像データが、美ら海水族館の館内で撮影した画像データであれば（本実施形態の精度の高い位置情報により判定可能である）、美ら海水族館の外の、美ら海や海中をテーマ背景とした動画とすることで、美ら海水族館への旅の想い出をより豊かに喚起させることができる。逆に、本電子アルバムに収める画像データが、美ら海水族館の館外で撮影した画像データであれば、美ら海水族館の館内をテーマ背景とした動画とすることで、美ら海水族館への旅の想い出をより立体的に喚起させることができる。さらに、「有効日時」を有することで、日時情報を位置情報と組み合わせることができる。テーマ背景を撮影の時刻を対応させることで、例えば美ら海の朝日や夕日をテーマ背景とした動画とすることができる。
【００３８】
以下、上述のように構成された電子アルバム作成システム１の動作を説明する。
［概要］
図６は、電子アルバム作成システム１の動作の概要を説明する図である。
図６に示すように、電子アルバム作成サーバ１００は、映像テーマ群（ショート版、ロング版、セミロング版を設けてもよい）を蓄積した背景コンテンツＤＢ１２１と、全国地図などを蓄積した地図ＤＢ１２２と、観光事業者情報を蓄積した観光情報ＤＢ１２３と、を備える。観光情報ＤＢ１２３は、旅行客の移動ルートログの算出の際に参照される。
電子アルバム作成サーバ１００は、ユーザ端末１０からの電子アルバム作成要求に従って、電子アルバム作成サービスをユーザ端末１０に対して提供する。
【００３９】
ユーザ端末１０は、個人使用のスマートデバイス（スマートフォン、タブレット）であり、ノート型パソコン、高機能携帯電話機であってもよい。ユーザ端末１０は、電子アルバム作成アプリケーションが導入されており、ユーザ指示により電子アルバム作成アプリケーションを実行可能である。ユーザ端末１０の記憶部１７には、電子アルバム作成する際の画像データ（写真）が、時間情報および位置情報などの属性情報と共に記録されているものとする。また、ユーザ端末１０には、ＳＮＳ（Social Networking Service）アプリケーションが導入されている。また、ユーザ端末１０は、ＷｉＦｉ接続のためのＨＤＭＩ（登録商標）端子を有する大画面ＴＶに対して、ＷｉＦｉ接続が可能である。ユーザ端末１０は、作成された電子アルバムをＷｉＦｉ接続により送信する。
【００４０】
<ステップＳ１>
ユーザ端末１０の電子アルバムアプリケーションを起動する。ユーザ端末１０は、写真・コメント・ＧＰＳログ、および映像テンプレートを選択し、アップロードする。アップロードされたデータは、ネットワーク２０（図１参照）を介して電子アルバム作成サーバ１００に送られる。
【００４１】
<ステップＳ２>
電子アルバム作成サーバ１００は、電子アルバム作成部１１１（図１参照）が、写真、地図、ＧＰＳおよびテーマ選択に基づいて思い出ムービーを自動生成する。また、電子アルバム作成サーバ１００は、観光情報の登録・配信を行う。また、電子アルバム作成サーバ１００は、ユーザ（旅行客）の移動ルートログを蓄積する。
【００４２】
<ステップＳ３>
ユーザ端末１０は、電子アルバム作成サーバ１００により作成された思い出ムービー（例えば、ｍｐ４コーデックされた動画データ「．ｍｐ４」）をダウンロードする。ユーザ端末１０は、ダウンロードした思い出ムービーを再生する。
これにより、ユーザ（旅行客）の旅の思い出をミニ映画のような動画で楽しむことができる。また、地図は日本全国地図に対応しているので、日本の各地域の多彩な魅力を、豊富なテーマ（テンプレートともいう）で演出することができる。
【００４３】
<ステップＳ４>
電子アルバム作成サーバ１００は、ユーザ端末１０に対して、この思い出ムービーと関連性のある、あるいはユーザ特典となるレア情報配信許可の要否をメール等により送信する。電子アルバム作成サーバ１００は、ユーザ端末１０からレア情報配信許可を受けると、レア情報を配信する。なお、ユーザ端末１０がレア情報配信を予め許可している場合には、配信許可の要否を送信することなく、レア情報配信を送信する。
例えば、電子アルバム作成サーバ１００は、ユーザ端末１０が事前に認証した事業者と連携することで、ユーザが旅中にレア情報を配信する。これにより、ユーザは旅中にレア情報を取得する特典が得られる。
【００４４】
<ステップＳ５>
ユーザ端末１０は、ＳＮＳアプリケーションを実行することにより、ＳＮＳ連携や個人ブログによりミニ映画のような動画（思い出ムービー）を国内外へ情報発信・拡散することができる。
【００４５】
<ステップＳ６>
ユーザ端末１０は、大画面ＴＶのＨＤＭＩ端子を経由して、ＷｉＦｉ接続により、ミニ映画のような動画（思い出ムービー）を視聴することができる。多人数で思い出ムービーをリアルタイムで共有することができる。
【００４６】
［電子アルバム作成処理］
図７は、電子アルバム作成処理を示すフローチャートである。本フローは、電子アルバム作成サーバ１００（図１参照）の制御部１１０、およびユーザ端末１０（図２参照）の制御部１１により実行される。
図７の左側が電子アルバム作成サーバ１００の処理フロー（ステップＳ１０１〜Ｓ１０８）、図８の右側がユーザ端末１０の処理フロー（ステップＳ１１〜Ｓ２２）である。また、電子アルバム作成サーバ１００とユーザ端末１０間のアクセス要求／応答、およびデータのアップロード／ダウンロードは、左右のフローチャートを結ぶ矢印で仮想的に表記している。実際には、図１に示すように、電子アルバム作成システム１においては、電子アルバム作成サーバ１００が、ユーザ端末１０に対してネットワーク２０を介して電子アルバム作成サービスを提供する。なお、電子アルバム作成サーバ１００とユーザ端末１０間のアクセスに際しては、認証処理が先行して行われるが、ここでは記載を省略している。
【００４７】
<ユーザ端末１０側処理>
ユーザ端末１０の電子アルバムアプリケーション起動により、本プログラムがスタートする。まず、ステップＳ１１で、ユーザ端末１０の制御部１１は、テーマ作成画面を表示する（図１７（ａ）参照）。
ユーザは、図１７（ａ）のテーマ作成画面のテーマ一覧から好きなテーマを選択する。
ステップＳ１２で、制御部１１は、テーマ選択されたか否かを判定し、テーマ選択されるまで待つ（ステップＳ１２：Ｎｏ）。テーマ選択された場合（ステップＳ１２：Ｙｅｓ）、制御部１１は、テーマ確認画面を表示させる。ユーザは、図１７（ｂ）のテーマの説明を確認する。制御部１１は、テーマ確認のＯＫボタンタッチにより、次のページに移行して動画のタイトル入力画面を表示させる（図１７（ｃ）参照）。
【００４８】
ステップＳ１３で、制御部１１は、タイトル入力されたか否かを判定し、タイトル入力された後、テーマ確認のＯＫボタンタッチがあれば（ステップＳ１３：Ｙｅｓ）、次のページに移行する。また、タイトル入力されていなくてもテーマ確認のＯＫボタンタッチがあるならば（ステップＳ１３：Ｎｏ）、次のページに移行する。この場合は、動画タイトルなしの背景コンテンツとなる。
ユーザは、図１８（ｄ）の写真選択・編集画面の写真からムービーにしたい写真を選択する。
ステップＳ１４で、制御部１１は、写真選択・編集画面の写真の選択・編集が完了したか否かを判定し、写真の選択・編集が完了（確認のＯＫボタンタッチ）があれば（ステップＳ１４：Ｙｅｓ）、次のページに移行する。なお、写真の選択・編集が完了するまでは次のページには移行しない（ステップＳ１４：Ｎｏ）。
【００４９】
ユーザは、図１８（ｅ）のコメント入力画面から写真のコメントを入力する。
ステップＳ１５で、制御部１１は、コメント入力されたか否かを判定し、コメント入力された後、確認のＯＫボタンタッチがあれば（ステップＳ１５：Ｙｅｓ）、次のページに移行する。また、コメント入力されていなくても確認のＯＫボタンタッチがあるならば（ステップＳ１５：Ｎｏ）、次のページに移行する。この場合は、写真のコメントなしの電子アルバムとなる。
【００５０】
ユーザは、図１８（ｆ）の地図選択画面から撮影した写真の位置の地図を選択する。
ステップＳ１６で、制御部１１は、地図の選択が完了したか否かを判定し、地図の選択が完了（確認のＯＫボタンタッチ）があれば（ステップＳ１６：Ｙｅｓ）、次のページに移行する。なお、地図の選択が完了するまでは次のページには移行しない（ステップＳ１６：Ｎｏ）。
ステップＳ１７で、制御部１１は、テーマ作成画面における内容が確定したか否かを判定し、テーマ作成画面における内容が確定している場合はステップＳ１８に進み（ステップＳ１７：Ｙｅｓ）、テーマ作成画面における内容が確定していない場合はステップＳ１２に戻る（ステップＳ１７：Ｎｏ）。
【００５１】
ステップＳ１８で、制御部１１は、電子アルバム作成サーバ１００に対して、写真、コメント、ＧＰＳログ、選択テーマ（確定した内容）を送信する（図７の「アップロード」参照）。
このアップロードを受けて、電子アルバム作成サーバ１００は、電子アルバム作成を行う（ステップＳ１０１〜Ｓ１０８）。また、作成した電子アルバムをユーザ端末１０にダウンロードする。
【００５２】
ステップＳ１９で、制御部１１は、作成された電子アルバムを受信したか否かを判定し、作成された電子アルバムを受信するまで待つ（ステップＳ１９：Ｎｏ）。
電子アルバムを受信した場合（ステップＳ１９：Ｙｅｓ）、ステップＳ２０でダウンロードした電子アルバムを記憶部１７（図２参照）に保存する。
【００５３】
次いで、ステップＳ２１で、制御部１１は、電子アルバムの表示操作が行われたか否かを判定する。電子アルバムの表示操作が行われている場合は（ステップＳ２１：Ｙｅｓ）、ステップＳ２２で制御部１１は、当該電子アルバムを表示して本フローを終了し、電子アルバムの表示操作がない場合（ステップＳ２１：Ｎｏ）はそのまま処理を終了する。
【００５４】
<電子アルバム作成サーバ１００側処理>
電子アルバム作成サーバ１００の制御部１１０は、所定タイミングで繰り返し本プログラムを実行する。
まず、ステップＳ１０１で、制御部１１０は、ユーザ端末１０から電子アルバム作成要求を受信したか否かを判定する。電子アルバム作成要求を受信しない場合（ステップＳ１０１：Ｎｏ）は、本フローを終了する。
電子アルバム作成要求を受信した場合（ステップＳ１０１：Ｙｅｓ）、ステップＳ１０２で、制御部１１０は、ユーザ端末１０からアップロードされた写真、コメント、ＧＰＳログ、選択テーマを取得する。
【００５５】
ステップＳ１０３で、コンテンツ抽出部１１２（図１参照）は、ユーザ写真、その撮影位置情報および撮影時刻情報（日付＋時刻）をキーとして、背景コンテンツＤＢ１２１から、背景コンテンツを抽出する。背景コンテンツは、観光地（ご当地）コンテンツなどであり、ユーザ写真の背景となる動画（ムービー）である。換言すれば、背景のコンテンツにユーザ写真が嵌め込まれる。なお、コンテンツ抽出の詳細については、図８で後記する。
ステップＳ１０４で、電子アルバム作成部１１１（図１参照）は、抽出したコンテンツを基に、電子アルバムを作成する。
【００５６】
ステップＳ１０５で、通信部１５０（図１参照）は、電子アルバム作成部１１１が作成した電子アルバムをユーザ端末１０に送信する（図７の「ダウンロード」参照）。
ステップＳ１０６で、通信部１５０は、当該電子アルバムを所定回数送信したか否かを判定する。このステップＳ１０６は、次のステップＳ１０７と共に送信確認ステップを形成する。
所定回数送信していない場合（ステップＳ１０６：Ｎｏ）、ステップＳ１０７で通信部１５０は、ユーザ端末１０からダウンロード完了通知を受信したか否かを判定する。
ダウンロード完了通知を受信していない場合（ステップＳ１０７：Ｎｏ）、上記ステップＳ１０５に戻り、電子アルバムの再送信を行う。ここで、電子アルバムの再送信は、ユーザ端末１０からの応答時間を考慮して所定時間経ってから行う。
上記ステップＳ１０７でダウンロード完了通知を受信した場合（ステップＳ１０７：Ｙｅｓ）は、本フローを終了する。
【００５７】
上記ステップＳ１０６で所定回数以上送信した場合（ステップＳ１０６：Ｙｅｓ）は、ユーザ端末１０に作成した電子アルバムをダウンロードできながったと判断してステップＳ１０８で「送信エラー処理」を行って本フローを終了する。送信エラー処理では、ユーザ端末１０に対して電子アルバムを送信できなかった旨のメッセージ表示やアラーム報知、適時行うユーザ端末１０へのメッセージ送信である。ここで、上記ステップＳ１０５で作成した電子アルバムをユーザ端末１０に送信して、すぐに上記ステップＳ１０７でダウンロード完了通知を受信するケースが良好な場合である。
【００５８】
なお、上記ステップＳ１０６〜Ｓ１０８は、省略することもできる。この場合、電子アルバム作成サーバ１００は、ユーザ端末１０に対して電子アルバムを送信した時点で一連の処理を終了する。このようにすれば、電子アルバム作成サーバ１００側の処理負担を軽減することができる。なお、ユーザ端末１０では、電子アルバムの各データをアップロードしたにもかかわらず、所定期間経っても電子アルバム作成サーバ１００から電子アルバムがダウンロードされないことから、その状況を知ることができる。
【００５９】
［コンテンツ抽出処理］
図８は、コンテンツ抽出処理を示すフローチャートである。本フローは、図７のステップＳ１０３のサブルーチンである。
ステップＳ１１１で、コンテンツ抽出部１１２（図１参照）は、背景コンテンツＤＢ１２１に格納されたテーマ情報マスタ、テーマ利用コンテンツ情報マスタ、コンテンツ情報マスタ、およびエリアグループ情報マスタの定義情報を取得する。ここで、マスタとは、背景コンテンツＤＢ１２１で処理の基本となるデータを集めたマスターデータのことをいう。
ステップＳ１１２で、コンテンツ抽出部１１２は、ユーザ選択の動画テーマを取得する。
ステップＳ１１３で、コンテンツ抽出部１１２は、取得した定義情報に基づいてユーザ選択動画テーマを適用するエリアのエリアＩＤ一覧を取得する。このエリアＩＤ一覧は、例えば図４および図５のエリアグループ情報のエリアＩＤ（美ら海水族館，首里城，…）である。
【００６０】
ステップＳ１１４で、コンテンツ抽出部１１２は、ユーザ写真の位置（写真のｅｘｉｆやＧＰＳログから取得）と取得したエリア一覧の緯度・経度を比較し、写真が取られたエリアのエリアグループＩＤを特定する。
ステップＳ１１５で、コンテンツ抽出部１１２は、エリアＩＤが複数あるか否かを判定する。
エリアＩＤが複数ある場合（ステップＳ１１６：Ｙｅｓ）、ステップＳ１１６で、コンテンツ抽出部１１２は、エリア種別（四角）（図５参照）で各エリアを検索し、そのエリアが含まれるエリアグループを特定する。なお、エリア種別（四角）によるエリアグループを特定の詳細については、図１４および図１６で後記する。
エリアＩＤが複数ない場合（ステップＳ１１６：Ｎｏ）、ステップＳ１１７で、コンテンツ抽出部１１２は、エリア種別（円）（図５参照）でヒュベニの距離計算式を用いてエリア中心点と写真撮影ポイントの２点間の距離からエリアを特定する。なお、エリア種別（円）によるエリアグループを特定の詳細については、図１５で後記する。
【００６１】
ステップＳ１１８で、コンテンツ抽出部１１２は、写真の撮影日時と特定したエリアグループＩＤ基に、コンテンツ情報マスタを検索し、利用するコンテンツを抽出する。
ステップＳ１１９で、コンテンツ抽出部１１２は、コンテンツがエリアグループに紐付けできたか否かを判定する。
エリアグループに紐付けできた場合は（ステップＳ１１９：Ｙｅｓ）、ステップＳ１２０でコンテンツ抽出部１１２は、コンテンツ情報マスタを検索して得られたコンテンツを決定して本サブルーチンを終了する。
エリアグループに紐付けできない場合は（ステップＳ１１９：Ｎｏ）、ステップＳ１２１でコンテンツ抽出部１１２は、エリア無しとして汎用的なコンテンツを決定して本サブルーチンを終了する。
【００６２】
［電子アルバムアプリケーションその他処理］
図９は、電子アルバムアプリケーションのその他処理を示すフローチャートである。本フローは、ユーザ端末１０（図２参照）の制御部１１により実行される。
ユーザ端末１０の電子アルバムアプリケーション起動により、本プログラムがスタートする。まず、ステップＳ３１で、ユーザ端末１０の制御部１１は、レア情報を受信したか否かを判定する。レア情報を受信していない場合（ステップＳ３１：Ｎｏ）、そのままフローを終了する。
レア情報を受信した場合（ステップＳ３１：Ｙｅｓ）、ステップＳ３２で、ユーザ端末１０の制御部１１は、レア情報を保存する。
【００６３】
ステップＳ３３で、ユーザ端末１０の制御部１１は、ＳＮＳ発信するか否かを判定する。ＳＮＳ発信しない場合（ステップＳ３３：Ｎｏ）、そのままフローを終了する。ＳＮＳとは、個人による情報発信や個人間のコミュニケーション、人の結びつきを利用した情報流通などといった社会的な要素を含んだメディアをいう。
ＳＮＳ発信する場合（ステップＳ３３：Ｙｅｓ）、ステップＳ３４で、ユーザ端末１０の制御部１１は、ＳＮＳ連携する。
【００６４】
ステップＳ３５で、ユーザ端末１０の制御部１１は、ＷｉＦｉ接続するか否かを判定する。ＷｉＦｉ接続しない場合（ステップＳ３５：Ｎｏ）、そのままフローを終了する。
ＷｉＦｉ接続する場合（ステップＳ３５：Ｙｅｓ）、ステップＳ３６で、ユーザ端末１０の制御部１１は、ＷｉＦｉ接続して本フローを終了する。
【００６５】
［コンテンツ］
図１０乃至図１３は、テーマの背景で利用するコンテンツを説明する図であり、季節（春夏秋冬）（周期の長い時間情報）と時間帯（昼／夜）（周期の短い時間情報）でのコンテンツ分割イメージを示す。
図１０に示すように、季節や時間帯で背景を変更しない場合、１エリアに対して１コンテンツとする。
【００６６】
図１１に示すように、季節は関係なしで、時間帯（昼／夜）で背景を変更する場合、１エリアに対して２コンテンツとする。例えば、図４のデータベースのコンテンツＩＤは、美ら海水族館（昼）と美ら海水族館（夜）を区別している。この場合、コンテンツＩＤの美ら海水族館（昼）に、図９の時間帯（昼）のコンテンツａを割り当て、コンテンツＩＤの美ら海水族館（夜）に、図９の時間帯（夜）のコンテンツｂを割り当てる態様が可能である。
【００６７】
図１２に示すように、時間帯は関係なしで、季節（春夏秋冬）で背景を変更する場合、１エリアに対して４コンテンツとする。例えば、上記図４のデータベースのコンテンツＩＤの例において、コンテンツＩＤの美ら海水族館（昼）（夜）に関係なく、季節（春夏秋冬）ごとに、それぞれ異なるコンテンツａ〜ｄを割り当てる態様が可能である。
【００６８】
図１３に示すように、季節（春夏秋冬）と時間帯（昼／夜）とで背景を変更する場合、１エリアに対して８コンテンツとする。例えば、上記図４のデータベースのコンテンツＩＤの例において、季節（春）の時間帯（昼）にコンテンツａを割り当てるとともに、季節（春）の時間帯（夜）にコンテンツｅを割り当てる。同様に、季節（夏）の時間帯（昼）にコンテンツｂ、その時間帯（夜）にコンテンツｆ、季節（秋）の時間帯（昼）にコンテンツｃ、その時間帯（夜）にコンテンツｇ、季節（冬）の時間帯（昼）にコンテンツｄ、その時間帯（夜）にコンテンツｈをそれぞれ割り当てる態様が可能である。
【００６９】
なお、上記季節と時間帯の割り当ては一例であり、どのようなものでもよい。例えば、季節（夏）の梅雨時に専用のコンテンツを割り当てるものでもよい。また、その梅雨時には、時間帯による割り当てをしない等の対応でもよい。
【００７０】
［エリア種別］
図１４および図１５は、図４のエリア情報のエリア種別を説明する図である。本実施形態では、エリア種別は、四角（矩形）と円のエリア判定領域指定がある。四角のエリア判定領域は、対象物が建造物などで、一または複数のエリア内で定義するのに適した場合に用いる。円のエリア判定領域は、対象物が公園や一群の遺跡など、円内で定義するのに適した場合に用いる。
【００７１】
<四角（矩形）（第１判定手段）>
図１４に示すように、エリア種別が四角の場合、エリアに入っているか否かの判定は、下記の通りである。すなわち、下記の条件に合致する場合には、エリア内と判定する。
（エリア情報の右下緯度≦写真の緯度≦エリア情報の左上緯度）、かつ、
（エリア情報の左上経度≦写真の経度≦エリア情報の右下経度）
なお、複数のエリアが定義されている場合には全てのエリアについて確認する。
例えば、図５のエリアグループＩＤの美ら海水族館（カラム）（観光スポット）に紐付けた「エリアＩＤ」は、図１４のエリアグループを構成する美ら海水族館の各エリアである美ら海水族館ａ，ｂ，ｃ，ｄをカラムとして有する。美ら海水族館ａ，ｂ，ｃ，ｄに紐付けた「位置情報」は、それぞれ右上の緯度・経度の（数値）と、右下の緯度・経度の（数値）と、中央の緯度・経度（指定なし）と、エリア半径（指定なし）と、エリア種別（四角）を有する。
【００７２】
<円（第２判定手段）>
図１５に示すように、エリア種別が円の場合、エリアに入っているか否かの判定は、下記の通りである。すなわち、２点間の緯度・経度から距離を計算するヒュベニの距離計算式を用いて、エリア中心点と写真撮影ポイントの２点間の距離を算出する。
そして、算出した距離がエリア半径以下の場合には、エリア内と判定する。
なお、複数のエリアが定義されている場合には全てのエリアについて確認する。
例えば、図５のエリアグループＩＤの首里城（カラム）（観光スポット）に紐付けた「エリアＩＤ」は、図１５の首里城をカラムとして有する。首里城のエリア判定は、円のエリア判定であるため、「位置情報」は、右上の緯度・経度と右下の緯度・経度（指定なし）、中央の緯度・経度（数値）と、エリア半径（数値）と、エリア種別（円）を有する。
【００７３】
［電子アルバム作成の基本処理］
電子アルバム作成の基本処理は、電子アルバム作成部１１１およびコンテンツ抽出部１１２が行う。
上述したように、電子アルバム作成サーバ１００は、テーママスタ、テーマ利用コンテンツ情報マスタ、コンテンツ情報マスタ、エリアグループ情報マスタの定義を基に、ユーザが選択した動画テーマでカバーするエリアのエリアＩＤ一覧を取得する。
そして、電子アルバム作成サーバ１００は、写真の位置情報（写真のｅｘｉｆやＧＰＳログから取得）と取得したエリア一覧の緯度・経度を比較し、写真が撮られたエリアのエリアグループＩＤを特定する。
そして、電子アルバム作成サーバ１００は、写真の撮影日時と特定したエリアグループＩＤを基に、コンテンツ情報マスタを検索し、利用するコンテンツを決定する。
【００７４】
上記エリアグループＩＤ特定処理において、どのエリアグループにも紐付けできなかった場合は、エリア無しとして汎用的なコンテンツを利用する。
エリア種別が四角の場合、
（エリア情報の右下緯度≦写真の緯度≦エリア情報の左上緯度）、かつ、
（エリア情報の左上経度≦写真の経度≦エリア情報の右下経度）
の条件に合致するエリアを検索し、そのエリアが含まれるエリアグループを特定する。
【００７５】
［電子アルバム作成の拡張処理］
次に、電子アルバム作成の拡張処理について説明する。
電子アルバム作成の拡張処理は、制御部１１０（図１参照）の動画レベル判定部１１３、コンテンツ表示部１１４、コンテンツ階層表示部１１５、軌跡表示部１１６、コンテンツ選択部１１７、またはコンテンツ最適化部１１８により実行される。以下順に説明する。
【００７６】
<動画レベル判定>
動画レベル判定部１１３は、以下のような動画レベル判定を行う。具体的には、動画レベル判定部１１３は、撮影した写真が本電子アルバム作成システムが推奨する動画にどれだけ近いかを評価する動画レベル判定を行う。判断基準は、ａ．旅の軌跡（ルート）や写真の撮影位置が所定の距離内にあることが分かるかどうか、ｂ．写真に位置が付いているかどうか、ｃ．ＧＰＳログが取得されているかなどである。
【００７７】
<コンテンツの連続階層表示>
コンテンツ階層表示部１１５は、背景コンテンツを階層的に順番に表示する背景コンテンツの連続階層表示を行う。具体的には、コンテンツ階層表示部１１５は、背景コンテンツを階層的に順番に表示する際、縮尺の遷移（例えば広域→狭域）を行う。一例を挙げると、沖縄県→今帰仁村→美ら海水族館のように広域から狭域に階層的に順番に表示する。また、時間の遷移（過去→現在／未来）を行う。例えば、１９８０年代→１９９０年代→２０００年代というように背景コンテンツを時間的に辿って順番に表示する。
【００７８】
<軌跡表示>
軌跡表示部１１６は、移動距離に応じた「旅の軌跡（ルート）」表示の切替えを行う。具体的には、軌跡表示部１１６は、２点間の写真の位置を基に地図上の移動ルート表示有無を制御する。例えば、軌跡表示部１１６は、表示切替えを行うためのしきい値を決めておき（仮に５００ｍと２ｋｍの２つを定義したとする）、距離が５００ｍ未満の場合には移動ルートの地図を表示しない、距離が５００ｍ以上、２ｋｍ未満の場合は地図は表示するが移動の軌跡は表示しない、距離が２ｋｍ以上の場合は地図と移動の軌跡を表示する、などである。
軌跡表示部１１６は、短い距離の移動は地図を表示しないようにすることで、動画の画面切り替えの煩わしさを除外することができる。
【００７９】
<コンテンツ選択>
コンテンツ選択部１１７は、所定のジャンルに合わせた背景コンテンツの表示を行う。例えば、コンテンツ選択部１１７は、年齢層（年代）に合わせた背景コンテンツの表示を行う。具体的には、コンテンツ選択部１１７は、グルメ、景色、花、イベント(祭りなど）、見所、施設、趣味などの背景が、男性向け、女性向け、子供向け、中高生向け、大学生向け、若者向け、年代向けに、予め準備しておく。そして、コンテンツ選択部１１７は、これら年代に合わせた背景コンテンツを、ユーザに合わせて自動選択する。その他の例として、コンテンツ選択部１１７は、地域のキャラクターを使った独自テーマにより独自テーマに合わせた背景コンテンツの表示を行う。
【００８０】
<コンテンツ最適化>
コンテンツ最適化部１１８は、デフォルトコンテンツ、地図の最適化を行う。例えば、コンテンツ最適化部１１８は、背景コンテンツ切替の際に、コンテンツの適用エリア外で撮影した写真の場合は、デフォルトのコンテンツを背景に割り当てる。そして、コンテンツ最適化部１１８は、そのデフォルトコンテンツの決定を最適化する。一例を挙げると、コンテンツ最適化部１１８は、ユーザが訪れた場所とその回数から、関連コンテンツを導き出し、ユーザの嗜好に合いそうなコンテンツを表示する。
また、コンテンツ最適化部１１８は、デフォルトコンテンツ最適化と同じ仕組みで、ユーザの嗜好に合うデコレーションをした地図を表示する。例えば、首里城や歴史スポットを多く訪れるユーザには、情緒があるようなテイストとアイコンを配置する等である。
【００８１】
<その他>
コンテンツ表示部１１４は、地図の自動縮尺、ズームアップを行う。例えば、コンテンツ表示部１１４は、移動したルートによって、最適な縮尺地図を利用する。一例を挙げると、日本のどこなのか（場所）がわかるように、日本地図などからズームアップする。
また、コンテンツ表示部１１４は、同じ撮影地点で撮った写真を見比べて表示する。これにより、昔と今を見比べることができる。
【００８２】
［実施例］
以下、撮られた写真の位置情報から、写真が美ら海水族館である場合を例に採る。
図１６は、本発明の実施形態に係る電子アルバム作成システムの実施例を説明する図である。
図１６（ａ）に示すように、電子アルバム作成サーバ１００は、全国地図から沖縄本島を表示する。写真の位置情報と取得したエリア一覧の緯度・経度を比較し、写真が撮られたエリアのエリアグループＩＤ（図４参照）を特定する。具体的には、電子アルバム作成サーバ１００は、地図アプリ（Google Map（登録商標）など）を利用してエリアの緯度・経度（左上と右下の２点）を調査し、事前に背景コンテンツＤＢ１２１上に登録する。なお、北緯・東経はプラス、南緯・西経はマイナス表記する。
【００８３】
図１６（ｂ）に示すように、電子アルバム作成サーバ１００は、美ら海水族館（観光スポット）の地図を表示し、その地図上にエリアａ，ｂ，ｃ，ｄを定義する。複数のエリアａ，ｂ，ｃ，ｄの組み合わせでエリアグループを定義する。また、エリアｂ内（美ら海水族館内）において写真が撮られ、エリアグループ外（美ら海水族館外）でも写真が撮られ、これらの写真は電子アルバム作成用として電子アルバム作成サーバ１００にアップロードされる。
【００８４】
そして、電子アルバム作成サーバ１００は、写真の撮影日時と位置情報から背景となるコンテンツを動的に切替える電子アルバムを作成する。図１４（ｃ）に示すように、コンテンツは、エリアｂ（エリア内）では、美ら海水族館用の背景のコンテンツに切替え、エリアｄ（エリア外）では、汎用的な背景のコンテンツに切替える電子アルバムを作成する。
なお、上記背景のコンテンツ、およびコンテンツの切替えは、どのようなものでもよい。
【００８５】
より進んだ態様として、下記のように背景のコンテンツの切替えを採ることも可能である。
（１）エリアｂ（エリア内）で撮影した写真に良好な写真がない（枚数が少ない、不鮮明である、撮影アングルが悪い、典型的な写真がない、人物・顔の撮影ばかりであるなど）場合、それを補う観点から図１６（ｃ）の上図に示すような美ら海水族館用の背景のコンテンツを使用する。逆に、エリアｂ（エリア内）で撮影した写真に良好な写真が多い場合、背景のコンテンツとして同じような写真の連続表示を避ける観点（平板的なイメージとなりがち）から、敢て美ら海水族館用の背景のコンテンツを使用せずに、例えば図１６（ｃ）の下図に示すような汎用的な背景のコンテンツを使用（挿入）してもよい。
（２）エリアｄ（エリア外）で、撮影した写真が多い場合など、背景表示のインパクトを変える観点から、図１６（ｃ）の下図に示すような汎用的な背景のコンテンツに代えて、図１６（ｃ）の上図に示すような水族館用の背景のコンテンツを使用してもよい。
（３）  上記（１）（２）のコンテンツは、季節や時間帯で背景を変更する態様でもよい。
【００８６】
［ユーザ端末の電子アルバムのアップロード／ダウンロード例］
図１７乃至図１９は、ユーザ端末１０の電子アルバムのアップロード／ダウンロードを説明する図である。
本実施形態では、ユーザ端末１０（図１参照）は、電子アルバム作成サーバ１００へのアクセスおよび電子アルバム表示のアプリケーションを組み込んだスマートフォンに適用した例である。図１７乃至図１９は、このスマートフォン（ユーザ端末１０）の電子アルバム作成アプリケーションを起動後の表示画面である。
【００８７】
（１）テーマ選択
図１７（ａ）に示すように、ユーザ端末１０は、電子アルバム作成アプリケーションを起動されると、テーマ（テンプレート）一覧を表示する。ユーザ端末１０は、画面上部に「テーマ一覧」のメニューバー、画面中央のメイン表示に各テーマ、画面下部にホーム、動画一覧、位置確認、お知らせ、ヘルプの各ソフトキーを表示する。
一般向け標準テーマは、例えば「キャラクター」「スタイリッシュ」「和風テイスト」「近未来」（図示省略）などである。また、有償（課金）や商品購入特典を設定することにより、有償テーマ（例えば１０〜５０枚）を追加することも可能である。なお、有償（課金）や商品購入特典の場合、動画再生時間が標準（例えば１分以内）より長いロング版である。
【００８８】
（２）テーマ確認
タッチ操作によりテーマを選択すると、図１７（ｂ）に示すように、ユーザ端末１０は、選択したテーマの確認画面を表示する。画面上部のメニューバーが「テーマ確認」となり、メイン表示に選択したテーマのナビゲーション画面とチェック欄（ＯＫボタン）が表示される。ここでは、「キャラクター」テーマが選択された場合を例に採る。「キャラクター」テーマでは、かわいいキャラクターが電子アルバム作成のナビゲーションを行う。
なお、画面下部のホーム、動画一覧、位置確認、お知らせ、ヘルプの各ソフトキーは、電子アルバム作成アプリケーションの実行中は常時表示され、タッチ操作により該当ページに移ることができる。
【００８９】
（３）動画タイトル入力
テーマの説明を確認し、気に入ったらＯＫボタンを押すと、図１７（ｃ）に示すように、ユーザ端末１０は、動画タイトル画面を表示する。画面上部のメニューバーが「タイトル入力」となり、メイン表示にタイトル入力ボックスとチェック欄（ＯＫボタン）が表示される。
【００９０】
（４）写真選択
タイトルを入力し、ＯＫボタンを押すと、図１８（ｄ）に示すように、ユーザ端末１０は、写真選択・編集画面を表示する。画面上部のメニューバーが「写真選択＆編集」となり、メイン表示に候補の写真と、コメント，回転，切り取り，削除の編集キーと、チェック欄（ＯＫボタン）が表示される。
メイン表示画面に表示された写真の中からムービー（動画）にしたい写真を選択する。
【００９１】
（５）コメント入力
写真を選択し、ＯＫボタンを押すと、図１８（ｅ）に示すように、ユーザ端末１０は、コメント入力ボックスとそのＯＫ／ＣＡＮＣＥＬキーを表示する。
メイン表示画面に表示された写真の中からムービー（動画）にしたい写真を選択する。
【００９２】
（６）地図選択
コメントを入力し、ＯＫボタンを押すと、図１８（ｆ）に示すように、ユーザ端末１０は、地図選択画面を表示する。画面上部のメニューバーが「地図選択」となり、メイン表示に写真の位置情報から自動で選ばれた地図と、チェック欄（ＯＫボタン）が表示される。
メイン表示画面に表示された写真の中からムービー（動画）にしたい写真を選択する。また、写真の位置情報から地図を選ぶ旨のメッセージも合せて表示される。図１８（ｆ）の枠で囲んだ写真では、５枚撮影されており、これら写真の位置情報から概略位置（★印参照）であった。このため、「撮影した写真の位置から日本地図を推奨します。」のメッセージが表示される。
【００９３】
（７）地図確認／動画再生
地図を選択し、ＯＫボタンを押すと、図１９（ｇ）に示すように、ユーザ端末１０は、動画一覧を表示する。画面上部のメニューバーが「動画一覧」となり、メイン表示に地図選択により選ばれた地図で示される動画再生画面と、再生，削除，共有，動画取得の実行キーとが表示される。
ユーザ端末１０は、電子アルバム作成サーバ１００から作成された電子アルバムのダウンロードが完了すると、再生，削除，共有の実行キーをアクティブ状態（実行可能状態）に表示する。
上記「再生」をタップ（クリック）操作すると、動画が再生される。
【００９４】
（８）標準テーマによる動画再生の例
図１９（ｈ）は、標準テーマ（ショート版）でキャラクターを選択した場合の電子アルバムの表示例である。ショート版は、例えば動画１分以内／写真５枚以内である。図１９（ｈ）の画面の下部のキャラクター部分が、動画再生部分である。なお、この写真上には、図１８（ｅ）で入力したコメントが表示される。
【００９５】
図１９（ｉ）は、標準テーマ（ショート版）でスタイリッシュを選択した場合の電子アルバムの表示例である。図１９（ｉ）の写真の背景にスタイリッシュな動画が再生される。なお、この写真上には、図１８（ｅ）で入力したコメントが表示されてもよい（図ではなし）。
【００９６】
図１９（ｊ）は、標準テーマ（ショート版）で和風テイストを選択した場合の電子アルバムの表示例である。図１９（ｉ）の写真の背景に和風テイストの動画が再生される。なお、訪日外国人観光客向けの電子アルバムには、この和風テイストが好ましい。
【００９７】
［ユーザ端末の電子アルバム表示例］
図２０および図２１は、ユーザ端末１０の電子アルバム表示例を説明する図である。
図２０に示すように、電子アルバム作成サーバ１００は、
ユーザ写真の位置情報に基づいて、背景コンテンツデータベースから背景のコンテンツを抽出して動画を自動生成する。
図２０は、ユーザ写真の位置情報が北海道である場合の例である。北海道をイメージした北海道版の電子アルバムが作成される。
【００９８】
図２０（ａ）（ｂ）に示すように、日本全国地図から北海道の要部の地図が表示される。上述したように、図２０（ｃ）に示す北海道版の電子アルバムが作成される。図２０では、ユーザ写真は「小樽天狗山ロープウェイ」である。この写真の位置情報および日時情報を基に、背景コンテンツＤＢ１２１からユーザ写真を最も引き立てるような背景のコンテンツを抽出する。ここでは、背景のコンテンツとして天狗山展望台のパノラマビュー動画が抽出されている。なお、撮影時刻情報を基に、ユーザ写真が夜の時間帯の写真であれば、夜景のパノラマビュー動画とするものでもよい。
【００９９】
図２０（ｃ）に示すように、作成された電子アルバムは、ユーザがアップロードしたユーザ写真部分Ａと、電子アルバム作成サーバ１００が生成した動画背景部分Ｂと、ユーザが入力（図１８（ｅ）参照）したユーザコメント部分Ｃと、からなる。
このように、いままでにない魅力的な動画テーマを提供することができ、商品付加価値を向上させることができる。
【０１００】
図２１は、ユーザ写真の位置情報が沖縄県である場合の例である。沖縄をイメージした沖縄版の電子アルバムが作成される。
図２１（ａ）（ｂ）に示すように、日本全国地図から沖縄県の要部の地図が表示される。上述したように、図１９（ｃ）に示す沖縄版の電子アルバムが作成される。図２１では、ユーザ写真は「美ら海水族館内」である。この写真の撮影位置情報および撮影時刻情報を基に、背景コンテンツＤＢ１２１からユーザ写真を最も引き立てるような背景のコンテンツを抽出する。ここでは、背景のコンテンツとして美ら海水族館の水槽の動画が抽出されている。なお、美ら海水族館内の写真に代えて、美ら海水族館外の美ら海公園等のビュー動画とするものでもよい。
【０１０１】
図２１（ｃ）に示すように、作成された電子アルバムは、ユーザがアップロードしたユーザ写真部分Ａと、電子アルバム作成サーバ１００が生成した動画背景部分Ｂと、ユーザが入力（図１８（ｅ）参照）したユーザコメント部分Ｃと、からなる。
このように、いままでにない魅力的な動画テーマを提供することができ、商品付加価値を向上させることができる。
【０１０２】
以上説明したように、本実施形態に係る電子アルバム作成サーバ１００は、電子アルバムの画像の背景となる動画またはムービーによる背景コンテンツを蓄積する背景コンテンツＤＢ１２１と、アップロードした画像に含まれる撮影位置情報および撮影時刻情報を取得し、観光スポットのエリアの内側または外側のいずれで撮影されたかを判定するとともに、取得した撮影位置情報、撮影時刻情報、および当該判定情報に基づいて、蓄積された背景コンテンツの中から、当該電子アルバムに用いる背景コンテンツを抽出するコンテンツ抽出部１１２と、アップロードした画像を、電子アルバムのレイアウトテンプレートに割り当てることによって、アップロードした画像の背景を確定し、確定した背景にコンテンツ抽出部１１２により抽出した背景コンテンツを付けて電子アルバムを作成する電子アルバム作成部１１１と、を備える。
【０１０３】
これにより、ユーザはいままでにない動画テーマで旅の思い出を楽しめるようになる。
また、事業者が、ご当地の推奨ルートを電子アルバム作成サーバ１００で動画を作成し、ＨＰやＳＮＳでＰＲすることが可能になる。
また、全国当地や、ターゲット(家族、グループ、女子旅）、季節（春夏秋冬）、日中／夜間帯などの複数の豊富なコンテンツをＤＢとして蓄積することで、柔軟な動画作成が可能となる。
【０１０４】
また、本実施形態では、電子アルバム作成サーバ１００が電子アルバムを自動作成するので、電子アルバムを観賞するユーザは、電子アルバム作成アプリケーションを起動して簡単な選択・編集操作をする以外は、電子アルバムをダウンロードするだけでよく、旅の思い出を十分に楽しむことができる。
【０１０５】
本発明は上記の実施形態例に限定されるものではなく、特許請求の範囲に記載した本発明の要旨を逸脱しない限りにおいて、他の変形例、応用例を含む。
また、上記した実施形態例は本発明をわかりやすく説明するために詳細に説明したものであり、必ずしも説明した全ての構成を備えるものに限定されるものではない。また、ある実施形態例の構成の一部を他の実施形態例の構成に置き換えることが可能であり、また、ある実施形態例の構成に他の実施形態例の構成を加えることも可能である。また、各実施形態例の構成の一部について、他の構成の追加・削除・置換をすることが可能である。
【０１０６】
また、上記実施の形態では、電子アルバム作成装置という名称を用いたが、これは説明の便宜上であり、装置の名称は想い出アルバム装置、動画電子アルバム等であってもよい。
【０１０７】
以上説明した電子アルバム作成処理は、この電子アルバム作成処理を機能させるためのプログラムでも実現される。このプログラムはコンピュータで読み取り可能な記録媒体に格納されている。
【０１０８】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行するためのソフトウェアで実現してもよい。各機能を実現するプログラム、テーブル、ファイル等の情報は、メモリや、ハードディスク、ＳＳＤ（Solid State Drive）等の記録装置、又は、ＩＣ（Integrated Circuit）カード、ＳＤ（Secure Digital）カード、光ディスク等の記録媒体に保持することができる。また、本明細書において、時系列的な処理を記述する処理ステップは、記載された順序に沿って時系列的に行われる処理はもちろん、必ずしも時系列的に処理されなくとも、並列的あるいは個別に実行される処理（例えば、並列処理あるいはオブジェクトによる処理）をも含むものである。
また、制御線や情報線は説明上必要と考えられるものを示しており、製品上必ずしもすべての制御線や情報線を示しているとは限らない。実際には殆ど全ての構成が相互に接続されていると考えてもよい。
【符号の説明】
【０１０９】
１  電子アルバム作成システム
１０  ユーザ端末
１１  制御部
１２  撮像部
１３  操作部
１５  ＬＣＤ表示部
１６  タッチパネル
１７  記憶部
１８  ＧＰＳ機能部
１９  インターフェース（Ｉ／Ｆ）部
２０  ネットワーク
１００  電子アルバム作成サーバ（電子アルバム作成装置）
１１０  制御部
１１１  電子アルバム作成部
１１２  コンテンツ抽出部
１１３  動画レベル判定部
１１４  コンテンツ表示部
１１５  コンテンツ階層表示部
１１６  軌跡表示部
１１７  コンテンツ選択部
１１８  コンテンツ最適化部
１２０  記憶部
１２１  背景コンテンツＤＢ（背景コンテンツ記憶部）
１２２  地図ＤＢ
１２３  観光情報ＤＢ
１３０  表示部
１４０  入力部
１５０  通信部
１６０  Ｉ／Ｆ部
【図１】
0006544998.tif 000002
【図２】
0006544998.tif 000003
【図３】
0006544998.tif 000004
【図４】
0006544998.tif 000005
【図５】
0006544998.tif 000006
【図６】
0006544998.tif 000007
【図７】
0006544998.tif 000008
【図８】
0006544998.tif 000009
【図９】
0006544998.tif 000010
【図１０】
0006544998.tif 000011
【図１１】
0006544998.tif 000012
【図１２】
0006544998.tif 000013
【図１３】
0006544998.tif 000014
【図１４】
0006544998.tif 000015
【図１５】
0006544998.tif 000016
【図１６】
0006544998.tif 000017
【図１７】
0006544998.tif 000018
【図１８】
0006544998.tif 000019
【図１９】
0006544998.tif 000020
【図２０】
0006544998.tif 000021
【図２１】
0006544998.tif 000022